(57)【要約】【課題】暗色系の下着を着用している際に使用しても目立ちにくく、且つ、汚れの視認性に優れた吸収性物品を提供する。【解決手段】吸収性物品は、吸収層を有する吸収体と、前記吸収体の肌面側に配置されたトップシートとを有し、前記トップシートの白色度が８０％以上であり、前記吸収体とトップシートとの間に白色度が３５％以下の暗色シートが配置されていることを特徴とする。【選択図】図２
2014226215.tif 000002
【特許請求の範囲】
【請求項１】
吸収層を有する吸収体と、前記吸収体の肌面側に配置されたトップシートとを有し、
前記トップシートの白色度が８０％以上であり、
前記吸収体とトップシートとの間に白色度が３５％以下の暗色シートが配置されていることを特徴とする吸収性物品。
【請求項２】
前記吸収体のトップシート側の面は、全面積の５０％以上が前記暗色シートで覆われている請求項１に記載の吸収性物品。
【請求項３】
前記吸収性物品のトップシート側の面は、白色度が５５％以下である部分が、全面積の５０％以上である請求項１または２に記載の吸収性物品。
【請求項４】
男性用軽失禁パッドである請求項１〜３のいずれか一項に記載の吸収性物品。
【発明の詳細な説明】
【技術分野】
【０００１】
本発明は、失禁パッド、生理用ナプキンなどの吸収性物品に関し、特に暗色系の下着を着用している際に使用しても目立ちにくく、且つ、汚れの視認性に優れた吸収性物品に関する。
【背景技術】
【０００２】
従来、自らの意思で排尿できる者でも、失禁や放尿後の尿の切れが悪く下着を汚すおそれがある場合には、失禁パッドなどの吸収性物品が使用される。このような吸収性物品は、一般に、各構成部材が白色である。そのため、暗色系の下着を着用している際に吸収性物品を使用した場合、温泉などの公共施設、男性においては公共トイレなどで、下着をおろした際に吸収性物品が目立つという問題がある。
【０００３】
このような吸収性物品について、暗色系の下着を着用している際に使用した場合でも目立ちにくくする技術が提案されている。例えば、特許文献１には、孔あきトップシート、該トップシートの孔を通して見ることができる下にある層及びバックシートを備え、該トップシート及び該下にある層はそれぞれ６０未満のＬハンター値を有する吸収性物品が記載されている。
【０００４】
また、上記の他に、吸収した排泄物や経血を隠蔽できる吸収性物品が提案されている。例えば、特許文献２には、吸収体と、吸収体の表面側及び裏面側を覆う被覆部分とを有する吸収性物品において、前記吸収体と被覆部分との間に、薄葉紙に印刷を施してなる印刷シートが介在されており、前記印刷シートの印刷が吸収性物品の外面から視認可能に構成されている吸収性物品が記載されている。特許文献３には、吸収体の肌側に、肌側に配される上層と吸収体側に配される下層とを有する表面シートであって、前記下層は、表面シートを上層側から見たときに、その色を視認可能なように着色されている表面シートが配された吸収性物品が記載されている。
【先行技術文献】
【特許文献】
【０００５】
【特許文献１】特表２００４−５０４１０６号公報
【特許文献２】特開２００９−０５０５１５号公報
【特許文献３】特開２００６−１８１２９４号公報
【発明の概要】
【発明が解決しようとする課題】
【０００６】
特許文献１に記載されているような吸収性物品では、トップシートに６０未満のＬハンター値を有する材料を用いているため、暗色系の下着の着用時に使用した場合でも目立ちにくくなっている。しかしながら、トップシートが黒っぽいため、吸収性物品の肌面側に付着した汚れを確認しにくい。特許文献２に記載されているような印刷シートでは、吸収した排泄物や経血を隠蔽することが目的であり、吸収性物品全体としては白色度が高い。特許文献３に記載されている表面シートは、上層および下層の双方を貫通する多数の液通過孔が形成されている。そのため、この液通過孔を通じて吸収体（白色）が露出してしまい、吸収性物品全体としては白色度が高い。そのため、特許文献２、３に記載されているような吸収性物品では、暗色系の下着を着用している際に使用した場合に目立ちやすい。
【０００７】
本発明は上記事情に鑑みてなされたものであり、暗色系の下着を着用している際に使用しても目立ちにくく、且つ、汚れの視認性に優れた吸収性物品を提供することを目的とする。
【課題を解決するための手段】
【０００８】
上記課題を解決することができた本発明の吸収性物品は、吸収層を有する吸収体と、前記吸収体の肌面側に配置されたトップシートとを有し、前記トップシートの白色度が８０％以上であり、前記吸収体とトップシートとの間に白色度が３５％以下の暗色シートが配置されていることを特徴とする。
【０００９】
本発明の吸収性物品は暗色シートを備えているため、肌面側から見た際の白色度が低い。そのため、暗色系の下着を着用している際に使用した場合、下着の白色度と吸収性物品の白色度との差が小さくなり、吸収性物品が目立たなくなる。また、本発明の吸収性物品は、トップシートの白色度が８０％以上と高いため、吸収性物品の肌面側に尿などの汚れが付着した場合に、容易に視認できる。
【００１０】
前記吸収体のトップシート側の面は、全面積の５０％以上が前記暗色シートで覆われていることが好ましい。前記吸収性物品のトップシート側の面は、白色度が５５％以下である部分が、全面積の５０％以上であることが好ましい。本発明の吸収性物品としては、男性用軽失禁パッドが好適である。
【発明の効果】
【００１１】
本発明の吸収性物品は、暗色系の下着を着用している際に使用しても目立ちにくく、且つ、尿などの汚れの視認性に優れている。
【図面の簡単な説明】
【００１２】
【図１】本発明の吸収性物品の一例の平面図。
【図２】図１のＶ−Ｖ線の模式的断面図。
【発明を実施するための形態】
【００１３】
本発明の吸収性物品は、吸収層を有する吸収体と、前記吸収体の肌面側に配置されたトップシートとを有し、前記トップシートの白色度が８０％以上であり、前記吸収体とトップシートとの間に白色度が３５％以下の暗色シートが配置されていることを特徴とする。
【００１４】
本発明の吸収性物品は暗色シートを備えているため、暗色シートが配置されている部分は、肌面側から見た際の白色度が低くなる。そのため、暗色系の下着を着用している際に使用した場合、下着の白色度と吸収性物品の白色度との差が小さくなり、吸収性物品が目立たなくなる。また、本発明の吸収性物品は、トップシートの白色度が８０％以上と高いため、吸収性物品の肌面側に尿などの汚れが付着した場合に、容易に視認できる。
【００１５】
本発明において、白色度とは、ＡＳＴＭ  Ｅ３１３−９６で規定されるもので、理想上の白色を１００％とした場合の白さの程度を示す指標である。白色度が小さいほど、色が暗くなる。なお、白色度は、例えば、ハンディ型分光色差計（日本電色工業社製、ＮＦ３３３）などのように自動測定が可能な装置を用いて測定できる。
【００１６】
前記トップシートは、吸収性物品の最も着用者側に配置されるものであり、着用者の体液を速やかに捕捉して吸収体へと移動させる。前記トップシートは、その白色度が８０％以上、好ましくは８５％以上、さらに好ましくは９０％以上である。白色度が８０％以上であれば、トップシートに付着した尿などの汚れの視認性が良好となる。なお、トップシートの白色度の上限は特に限定されないが、吸収性物品の擬装性の観点から、９９％以下が好ましく、より好ましくは９８％以下である。
【００１７】
前記トップシートは、白色度８０％以上の部分（明色部分）のみ、すなわち全面積が明色部分であることが好ましい。なお、トップシートは、本発明の効果を損なわない程度に、白色度が８０％未満の部分を有していてもよい。この場合、トップシートの全面積における明色部分の面積は７０％以上が好ましく、より好ましくは７５％以上、さらに好ましくは８０％以上である。
【００１８】
トップシートが白色度８０％未満の部分を有する場合、明色部分の平面視形状としては、例えば、円形状、楕円形状、多角形状（例えば、矩形状、三角形状）、角丸多角形状（多角形の頂点が丸められた形状）、スリット状（例えば、直線スリット、波型スリット）などが挙げられる。また、明色部分の数は、特に限定されず、１つでもよいし、複数（２つ以上）形成してもよい。明色部分は、トップシートの幅方向中央線を跨ぐように形成することが好ましい。
【００１９】
前記トップシートは、透液性のシート材料、例えば、親水性繊維により形成された不織布が使用できる。トップシートとして利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。なお、トップシートとして、表面を界面活性剤により親水化処理した疎水性繊維（例えば、ポリプロピレン、ポリエチレン、ポリエステル、ポリアミド、ナイロン）にて形成された透液性の不織布が用いられてもよい。
【００２０】
前記トップシートの目付けは、１０ｇ／ｍ２以上が好ましく、より好ましくは１３ｇ／ｍ２以上、さらに好ましくは１５ｇ／ｍ２以上であり、５０ｇ／ｍ２以下が好ましく、より好ましくは４０ｇ／ｍ２以下、さらに好ましくは３０ｇ／ｍ２以下である。目付けが１０ｇ／ｍ２以上であればシートの強度が向上し、吸収性物品の使用時にトップシートが破れにくくなり、５０ｇ／ｍ２以下であれば吸収性物品の汚れの視認性がより良好となる。
【００２１】
暗色シートは、前記トップシートと吸収体との間に配置される。前記暗色シートは、その白色度が３５％以下、好ましくは３２％以下、さらに好ましくは３０％以下である。白色度が３５％以下であれば、吸収性物品の白色度を低くすることができ、暗色系の下着を着用している際に装着した際の擬装性が良好となる。なお、暗色シートの白色度の下限は特に限定されないが、当然０％である。
【００２２】
暗色シートの平面視形状は特に限定されないが、吸収体の平面視形状の全面積の５０％以上を覆うように配置することが好ましく、より好ましくは６０％以上、さらに好ましくは６５％以上、特に好ましくは７０％以上である。吸収体の平面視形状の全体を暗色シートで覆うことが最も好ましい。なお、暗色シートの平面視形状は、吸収体の平面視形状と同一または略同一とすることが好ましい。
【００２３】
暗色シートは、吸収性物品の平面視形状の全面積の５０％以上に配置されていることが好ましく、より好ましくは６０％以上、さらに好ましくは７０％以上である。暗色シートが吸収性物品の平面視形状の全面積の５０％以上に配置されていれば、吸収性物品の擬装性がより向上する。
【００２４】
前記暗色シートは、透液性のシート材料、例えば、親水性繊維により形成された不織布、ティッシュペーパーが使用できる。暗色シートとして利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。暗色シートは、暗色系に着色された樹脂を用いた繊維から形成された不織布でもよいし、白色度の高い不織布またはティッシュペーパーを暗色系に着色したものでもよい。
【００２５】
前記暗色シートの目付けは、１０ｇ／ｍ２以上が好ましく、より好ましくは１２ｇ／ｍ２以上、さらに好ましくは１３ｇ／ｍ２以上であり、４０ｇ／ｍ２以下が好ましく、より好ましくは３８ｇ／ｍ２以下、さらに好ましくは３５ｇ／ｍ２以下である。目付けが１０ｇ／ｍ２以上であればシートの強度が向上し、吸収性物品の使用時に暗色シートが破れにくくなり、４０ｇ／ｍ２以下であれば暗色シートの透液性が良好となり、吸収体による体液等の吸収が阻害されにくくなる。
【００２６】
前記吸収体は、体液を吸収し得る。前記吸収体は、少なくとも一層の吸収層から構成される。吸収層は、吸水性材料として、前記吸水性樹脂粉末を含有するものが好ましい。前記吸収層は、吸水性材料として、さらに、吸水性繊維を含有してもよい。前記吸水性樹脂粉末としては、従来吸収性物品に使用されているものが使用できる。前記吸水性樹脂粉末には、防腐剤、防かび剤、抗菌剤、酸化防止剤、紫外線吸収剤、着色剤、芳香剤、消臭剤、無機質粉末及び有機質繊維状物などの添加剤を含むことができる。前記吸水性繊維としては、例えば、パルプ繊維、セルロース繊維、レーヨン、アセテート繊維が挙げられる。前記吸収層は、吸水性樹脂粉末に加えて、繊維基材を含有してもよい。前記繊維基材としては、熱融着繊維などを挙げることができる。熱融着性繊維は、保形性を高めるために使用される。熱融着繊維の具体例としては、例えば、ポリエチレン、ポリプロピレン等のポリオレフィン系繊維、ポリエステル系繊維や複合繊維などが用いられる。吸水性材料として、吸水性樹脂粉末のみを含有する吸収層は、薄型化が可能である。繊維基材を含有する吸収層は、体液の分散性に優れる。
【００２７】
前記吸収層は、例えば、粉砕したパルプ繊維やセルロース繊維等の親水性繊維集合層に粒状の吸水性樹脂粉末を混合したものを、ティッシュペーパーなどの紙シートまたは液透過性不織布シートに固定する、あるいはこれらの液透過性不織布シートで包み、長方形、砂時計型、ひょうたん型、羽子板型等の所定形状に成形することにより得られる。吸収層を構成する液透過性不織布シートの白色度は特に限定されないが、白色度が９５％以下のものを使用してもよい。
【００２８】
前記吸水層および吸収体の平面視形状は特に限定されず、例えば、長方形型、砂時計型、ひょうたん型、羽子板型などが挙げられる。また、吸収体は、前記吸水層の他に、吸水性樹脂粉末を固定するための接着剤層を有していてもよい。
【００２９】
バックシートは、吸収性物品の最も外面側に配置されるものであり、体液等が外部に漏れだすことを防止する。バックシートの白色度は特に限定されない。バックシートとして、白色度が９５％以下のものを使用してもよい。
【００３０】
バックシートに使用される不透液性シートとしては、例えば、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、不透液性シートに到達した体液が、吸収性物品の外側にしみ出すのを防止する。不透液性シートにプラスチックフィルムが利用される場合、ムレを防止して着用者の快適性を向上するという観点からは、透湿性（通気性）を有するプラスチックフィルムが利用されることが好ましい。また、さらなる拡散性付与、形状安定性のために、プラスチックフィルムと、吸収体との間に紙シートを配置してもよい。
【００３１】
本発明の吸収性物品は、トップシート側から測定した際に、白色度が５５％以下の部分（暗色部分）の面積が、平面視形状の全面積の５０％以上であることが好ましく、より好ましくは６０％以上、さらに好ましくは７０％以上である。暗色部分の面積が５０％以上であれば、吸収性物品の擬装性がより向上する。なお、吸収性物品は、トップシート側から測定した際に、全面積が暗色部分であることも好ましい。前記暗色部分の白色度は、より好ましくは５３％以下、さらに好ましくは５０％以下である。
【００３２】
次に、本発明の吸収性物品の具体的な適用例について説明する。本発明の吸収性物品としては、例えば、失禁パッド、生理用ナプキンなどの人体から排出される体液を吸収するために用いられる吸収性物品が挙げられる。本発明の吸収性物品としては、軽失禁パッドが好ましく、特に男性用軽失禁パッドが好適である。本発明の吸収性物品は、白色度が５５％以下である暗色系の下着に用いた場合に、特に擬装性が良好となる。
【００３３】
失禁パッドや生理用ナプキンの形状としては、円形状、楕円形状、多角形状（例えば、矩形状、五角形状）、角丸多角形状（多角形の頂点が丸められた形状）、砂時計型、ひょうたん型などが挙げられる。また、必要に応じて、前記透液性のトップシートの幅方向両側に不透液性のサイドシートが設けられていてもよい。サイドシートは、トップシートの幅方向両側の上面に接合され、接合点より幅方向内方のサイドシートは、吸収体の両側縁に沿って一対の立ち上がりフラップを形成する。また、吸収性物品の一部を重ね合わせることで、バックシートの表面が突出するように湾曲したカップ状に形成してもよい。
【００３４】
以下、本発明の吸収性物品について、男性用の軽失禁パッドを例に挙げ、図１、２を参照して説明する。図１は、軽失禁パッドの平面図を表す。図２は、図１の軽失禁パッドのＶ−Ｖ断面図を表す。
【００３５】
軽失禁パッド１は、液透過性のトップシート２と、不透液性のバックシート３と、これらの間に配置された吸収体４とを有している。吸収体４は、吸水性樹脂６および繊維基材７をティッシュペーパー８に固定することで形成されている。そして、前記トップシート２と吸収体４との間に暗色シート５が配置されている。トップシート２は、着用者の肌に面するように配置され、着用者の体液を透過する。トップシート２および暗色シート５を通過した体液は、吸収体４に取り込まれ、吸水性樹脂粉末６に吸収される。バックシート３は、体液が軽失禁パッド１の外側に漏れだすことを防止する。
【００３６】
図１、２に記載の軽失禁パッド１では、暗色シート５はその平面視形状が吸収体４の平面視形状と同一であり、吸収体４の全体を覆うように配置されている。吸収体４を構成する吸水性樹脂粉末６や繊維基剤７は一般的に白色度が高いため、吸収体４の白色度も高くなる。しかし、暗色シート５により吸収体４を覆うことにより軽失禁パッド１の白色度を低下させることができる。
【００３７】
図１では、軽失禁パッド１および吸収体４の平面視形状を円形としているが、これらは他の形状であってもよい。また、図１では、暗色シート５の平面視形状を吸収体４の平面視形状と同一としているが、暗色シート５の平面視形状は、吸収体４よりも大きくしてもよいし、小さくしてもよい。図１では、暗色シート５によって吸収性物品１の白色度を低下させているが、例えば、暗色シート５を使用せずに、トップシート２、バックシート３またはティッシュペーパー８の白色度を低下させることにより、吸収性物品１の白色度を低下させてもよい。
【００３８】
本発明の吸収性物品の具体例としては、生理用ナプキン、失禁パッドなどの人体から排出される体液を吸収するために用いられる吸収性物品を挙げることができる。
【実施例】
【００３９】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【００４０】
［評価方法］
（白色度）
各材料および吸収性物品の白色度は、ハンディ型分光色差計（日本電色工業社製、ＮＦ３３３）を用いて測定した。測定方法は、ＡＳＴＭ  Ｅ３１３−９６に従った自動測定である。測定条件は、測定光源：Ｃ、観察条件：２°視野で行った。なお、吸収性物品の白色度は、トップシート側から測定した。
【００４１】
（擬装性試験）
吸収性物品を灰色（白色度５５％以下）の下着に取り付け、目視にて観察し、擬装性を下記の４段階で評価した。
＜評価基準＞
◎：目立たない
○：ほとんど目立たない
△：やや目立つ
×：目立つ
【００４２】
（汚れ視認性）
吸収性物品にトップシート側から人尿１ｍｌを吸収させ、汚れの視認性を目視にて３段階で評価した。
＜評価基準＞
○：視認できる
△：視認しづらい
×：視認できない
【００４３】
［吸収性物品の作製］
吸収性物品１
非透液性シートの上に合成ゴム系ホットメルト接着剤を塗布し、この上にティッシュペーパー（白色度８５％）を積層した。前記ティッシュペーパー上に合成ゴム系ホットメルト接着剤を塗布した後、パルプと吸水性樹脂粉末（サンダイヤポリマー社製、「アクアパール（登録商標）」  ＤＳ５６０）を混合した状態で散布（吸水性樹脂粉末の目付け３０ｇ／ｍ２）し、この上に合成ゴム系ホットメルト接着剤を塗布し、さらにティッシュペーパー（白色度８５％）を積層し吸収体を形成した。ティッシュペーパー上にさらに合成ゴム系ホットメルト接着剤を塗布し、前記吸収体と平面視形状が同一である暗色シート（中間シート）（白色度：１０％）を積層した。この暗色シート上に合成ゴム系ホットメルト接着剤を塗布し、透液性不織布（トップシート）を積層して吸収性物品１を形成した。得られた吸収性物品１において、暗色シートは、吸収体の平面視形状の全面積の１００％を覆っており、吸収性物品の平面視形状の全面積の７０％に配置されている。また、得られた吸収性物品１は、平面視形状の全面積の６２％が暗色部分である。
【００４４】
吸収性物品２〜１１
トップシートおよび／または中間シートの材料を、表１に記載のとおりに変更した以外は、吸収性物品１と同様にして、吸収性物品２〜１１を作製した。
【００４５】
吸収性物品１〜１１について、吸収性物品の暗色部分の白色度、擬装性、汚れ視認性について評価し、結果を表１〜４に示した。
【００４６】
【表１】
2014226215.tif 000003
【００４７】
表１〜４に示すように、中間シートとして白色度が３５％以下の暗色シートを備えた吸収性物品１〜３、６、７は、吸収性物品自体の白色度が低く、灰色の下着に装着した際の擬装性が良好であった。また、これらの吸収性物品１〜３、６、７はトップシートの白色度が８０％以上であり、尿による汚れの視認性も良好であった。
【００４８】
吸収性物品４、５、８〜１０は、中間シートとして白色度３５％超のシートを用いた場合であるが、吸収性物品自体の白色度が高く、灰色の下着に装着した際の擬装性が悪かった。なお、吸収性物品１１は、中間シートとして白色度が２５％以下の暗色シートを備えており、灰色の下着に装着した際の擬装性が良好であった。しかし、吸収性物品１１は、トップシートの白色度が５０％と低いため、尿による汚れの視認性が悪かった。
【００４９】
吸収性物品１２
非透液性シートの上に合成ゴム系ホットメルト接着剤を塗布し、この上にティッシュペーパー（白色度８５％）を積層した。前記ティッシュペーパー上に合成ゴム系ホットメルト接着剤を塗布した後、パルプと吸水性樹脂粉末（サンダイヤポリマー社製、「アクアパール（登録商標）」  ＤＳ５６０）を混合した状態で散布（吸水性樹脂粉末の目付け３０ｇ／ｍ２）し、この上に合成ゴム系ホットメルト接着剤を塗布し、さらにティッシュペーパー（白色度８５％）を積層し吸収体を形成した。ティッシュペーパー上にさらに合成ゴム系ホットメルト接着剤を塗布し、前記吸収体と平面視形状が同一である暗色シート（中間シート）（白色度：２５％）を積層した。この暗色シート上に合成ゴム系ホットメルト接着剤を塗布し、透液性不織布（トップシート）を積層して吸収性物品１２を形成した。得られた吸収性物品１２において、暗色シートは、吸収体の平面視形状の全面積の７０％を覆っており、吸収性物品の平面視形状の全面積の５０％に配置されている。また、得られた吸収性物品１２は、平面視形状の全面積の５０％が暗色部分であり、暗色部分の白色度が５０％である。
【００５０】
吸収性物品１３〜２３
トップシートおよび／または中間シートの材料、ならびに、暗色部分の面積率を、表２に記載のとおりに変更した以外は、吸収性物品１２と同様にして、吸収性物品１３〜２３を作製した。
【００５１】
吸収性物品１２〜２３について、吸収性物品の暗色部分の白色度、擬装性について評価し、結果を表２に示した。
【００５２】
【表２】
2014226215.tif 000004
【００５３】
表２に示すように、暗色部分の白色度が５５％以下であり、暗色部分の面積率が５０％以上である吸収性物品１２〜１９は、擬装性が良好であった。一方、暗色部分の白色度が６０％である吸収性物品２０〜２３はいずれも擬装性に劣っていた。
【００５４】
吸収性物品２４
非透液性シートの上に合成ゴム系ホットメルト接着剤を塗布し、この上にティッシュペーパー（白色度８５％）を積層した。前記ティッシュペーパー上に合成ゴム系ホットメルト接着剤を塗布した後、パルプと吸水性樹脂粉末（サンダイヤポリマー社製、「アクアパール（登録商標）」  ＤＳ５６０）を混合した状態で散布（吸水性樹脂粉末の目付け３０ｇ／ｍ２）し、この上に合成ゴム系ホットメルト接着剤を塗布し、さらにティッシュペーパー（白色度８５％）を積層し吸収体を形成した。ティッシュペーパー上にさらに合成ゴム系ホットメルト接着剤を塗布し、前記吸収体と平面視形状が同一である暗色シート（中間シート）（白色度：１０％）を積層した。この暗色シート上に合成ゴム系ホットメルト接着剤を塗布し、透液性不織布（トップシート）（白色度２０％）を積層して吸収性物品２４を形成した。
【００５５】
吸収性物品２５〜２９
トップシートの材料を、表３に記載のとおりに変更した以外は、吸収性物品２４と同様にして、吸収性物品２５〜２９を作製した。
【００５６】
吸収性物品２４〜２９について、吸収性物品の汚れ視認性について評価し、結果を表３に示した。
【００５７】
【表３】
2014226215.tif 000005
【００５８】
表３に示すように、トップシートの白色度が８０％以上である吸収性物品２８、２９は、汚れ視認性が良好であった。なお、トップシートの白色度が７５％である吸収性物品２７では汚れを視認できるものの、視認し辛かった。
【産業上の利用可能性】
【００５９】
本発明は、例えば、人体から排出される体液を吸収するために用いられる吸収性物品に好適に使用でき、特に失禁パッド、生理用ナプキンなどの吸収性物品として好適に利用できる。
【符号の説明】
【００６０】
１：軽失禁パッド（吸収性物品）、２：トップシート、３：バックシート、４：：吸収体、５：暗色シート、６：吸水性樹脂粉末、７：繊維基材、８：ティッシュペーパー
【図１】
2014226215.tif 000006
【図２】
2014226215.tif 000007